(57)【要約】      （修正有）【課題】ゴルフボールを一定した理想的な高さでショットすることができ、さらにショットの際、スイング時のクラブの抜けを向上させることができるゴルフティーの高さ調節具及びゴルフティーを提供する。【解決手段】ゴルフティーの差込高さを調節する高さ調節具１であって、ゴルフティーの胴体部に可動自在に装着され、地面に接する下部２が大径状に形成されている。また本考案のゴルフティー１０は、高さ調節具１を備え、地面に差し込む差込部１１とし、ゴルフボールを載せる載置部１２とからなり、差込部１１が硬質樹脂で形成され、載置部１２が柔軟性部材で形成されている。【選択図】図１
0003167680.tif 000002
【実用新案登録請求の範囲】
【請求項１】
ゴルフティーの差込高さを調節する高さ調節具であって、ゴルフティーの胴体部に可動自在に装着され、地面に接する下部が大径状に形成されていることを特徴とするゴルフティーの高さ調節具。
【請求項２】
前記高さ調節具の内周に、ゴルフティーの胴体部周囲に形成された螺旋状凹部に螺合する螺旋状凸部が形成されており、回動させることにより上下方向に可動する請求項１記載のゴルフティーの高さ調節具。
【請求項３】
前記高さ調節具の内周に、ゴルフティーの胴体部周囲に形成された凹部に嵌入する凸部が形成されており、上下方向に加圧させることで可動する請求項１記載のゴルフティーの高さ調節具。
【請求項４】
請求項１〜３のうちいずれか一項記載のゴルフティーの高さ調節具を備え、地面に差し込む差込部と、ゴルフボールを載せる載置部とからなるゴルフティーであって、前記差込部が、硬質樹脂で形成されていることを特徴とするゴルフティー。
【請求項５】
前記載置部が軟質樹脂で形成されている請求項４記載のゴルフティー。
【請求項６】
前記載置部が軟質ゴムで形成されている請求項４記載のゴルフティー。
【請求項７】
前記差込部と前記載置部との接合部分に、該差込部上部の軸体に少なくとも一箇所以上形成された突状部と、前記載置部に形成された、前記突状部と係合する開孔部と、からなる連結体を備えた請求項４乃至６のうちいずれか一項に記載のゴルフティー。
【請求項８】
前記ゴルフティーの差込部に抜止部が形成されている請求項４乃至７のうちいずれか一項に記載のゴルフティー。
【考案の詳細な説明】
【技術分野】
【０００１】
本考案は、ゴルフティーの高さ調節具及びゴルフティーに関し、詳しくは、ゴルフティーに可動自在の高さ調節具を備えることによりゴルフボールを理想的な高さでショットすることができるゴルフティーの高さ調節具及びゴルフティーに関する。
【背景技術】
【０００２】
一般的なゴルフティーは、地面に差し込む差込部と、ゴルフボールを載せる載置部とからなり、全体が一体的に形成された木製やプラスチック製のものが多く使用されている。ボールをティーショットする際、ティーを差込部より任意の高さに地面に差し込み、ゴルフボールをティーに載せた状態からゴルフクラブで打つ。
【０００３】
しかし、通常はティーの差し込む深さによりボールの上下位置が微妙に変化する。例えば、ティーの差し込みが深過ぎるとボールの位置が低くなり、スイングした際にボールの上部を打撃する可能性がある。また、差し込みが浅過ぎるとボールの位置が高くなり、ボールの下部を打撃してしまうという問題があった。
【０００４】
さらに、通常のゴルフティーは、木製やプラスチック製で一体的に形成されているため、ショットの際、クラブヘッドの打撃によりボールと一緒にティーが飛んでしまい、探すのに手間が掛かるという問題があった。さらにまた、ティー自体も強打されるので、割れて使えなくなることもあった。そのため、ゴルフプレーの最中に複数のティ−を持ち歩く必要があった。
【０００５】
これらの問題を解消するために、特許文献１では１つのティーで高さ調節が自在にでき、横方向の打撃を受けたときにも、打撃力に対する抵抗が弱められ、かつ、ティーが飛ばされてしまう可能性が少ないゴルフ用ティーが報告されている。
【０００６】
上掲特許文献１に記載されたゴルフ用ティーは、先端が先細になり、他端側に横方向に張り出したフランジが形成された脚部と、前記フランジから前記先端とは反対方向に延びる支持軸部とからなるティー本体と、一端にボール受け部が形成され、前記ティー本体の前記支持軸部に係合する軸方向孔を有するボール受け部材と、からなる。このゴルフ用ティーにおいては、前記ティー本体の前記支持軸部には外面に雄ねじが形成され、前記ボール受け部材の前記軸方向孔には、前記ティー本体の前記支持軸部の雄ねじにねじ係合する雌ねじが形成され、前記ボール受け部材は、ねじ係合により前記ティー本体の前記支持軸部に対し軸線方向の無段階的に異なる位置に保持できるようになっている。
【０００７】
しかしながら、上掲特許文献１のゴルフ用ティーにおいては、ティーの高さを調節する構造が複雑で製造工程が多く、コストアップに繋がるという問題があった。また打球の際、クラブヘッドの打撃によっては、ティー本体が脚部から飛ばされてしまうことも懸念され、その場合にはティー本体を探して再度脚部に装着させなければならず、プレーの最中に時間をロスすることにもなりかねなかった。
【０００８】
また、このような問題を解消し得るティーとして、本出願人は先に、ティーショットの際、ティーが折れたり、紛失したりすることがないゴルフティーを提案している（特許文献２）。
【０００９】
上掲特許文献２に記載されたゴルフティーは、地面に差し込む差込部と、ゴルフボールを載せる載置部とからなるゴルフティーにおいて、前記差込部を硬質部材とし、前記載置部を柔軟性部材としたことを特徴としており、前記差込部は、好ましくは硬質樹脂で形成され、また前記載置部は、好ましくは柔軟性を有する軟質樹脂で形成されている。
【先行技術文献】
【特許文献】
【００１０】
【特許文献１】特開２０１０−６９０４３号公報（特許請求の範囲等）
【特許文献２】実用新案登録第３１６４０７４号（実用新案登録請求の範囲等）
【考案の概要】
【考案が解決しようとする課題】
【００１１】
上掲特許文献２に記載されたゴルフティーは、差込部を硬質部材とし、載置部を柔軟性部材としたことで、ゴルフボールを載置部に載せた状態でゴルフクラブで打球すると、硬質部材からなる差込部はそのままの状態で、柔軟性部材からなる載置部のみが撓った状態で折れ曲がり、しかる後元の状態に復元されるため、ティーショットの際、ティーが折れたり飛ばされたりする虞がなく、繰り返し使用することができるという利点がある。
【００１２】
かかるゴルフティーにおいては、柔軟性部材からなる載置部のみが撓った状態で折れ曲がることにより、ティーが折れたり抜けて紛失したりすることは低減することはできたが、載置部の撓り具合が弱い場合、ショットの際、クラブとティーとの抵抗が大きくなり、所謂クラブの抜けが悪くなるという状態が発生し、ボールの飛距離に影響を及ぼしかねないという問題があることが分かった。
【００１３】
そこで本考案の目的は、ゴルフボールを一定した理想的な高さでショットすることができるゴルフティーの高さ調節具及びゴルフティーを提供することにある。
【００１４】
また、本考案の他の目的は、上記に加え、ショットの際、スイング時のクラブの抜けを向上させることができるゴルフティーの高さ調節具及びゴルフティーを提供することにある。
【課題を解決するための手段】
【００１５】
上記課題を解決するために、本考案のゴルフティーの高さ調節具は、ゴルフティーの差込高さを調節する高さ調節具であって、ゴルフティーの胴体部に可動自在に装着され、地面に接する面が大径状に形成されていることを特徴とする。本考案の調節具の好適実施形態を以下に列挙する。
【００１６】
前記高さ調節具の内周に、ゴルフティーの胴体部周囲に形成された螺旋状凹部と螺合する螺旋状凸部が形成されており、回動させることにより上下方向に可動する調節具である。
【００１７】
前記高さ調節具の内周に、ゴルフティーの胴体部周囲に形成された凹部に嵌入する凸部が形成されており、上下方向に加圧させることで可動する調節具である。
【００１８】
また、本考案のゴルフティーは、前記本考案の調節具を備え、地面に差し込む差込部と、ゴルフボールを載せる載置部とからなるゴルフティーであって、前記差込部が硬質樹脂で形成されていることを特徴とする。本考案のゴルフティーの好適実施形態を以下に列挙する。
【００１９】
前記載置部が軟質樹脂で形成されているゴルフティーである。
【００２０】
前記載置部が軟質ゴムで形成されているゴルフティーである。
【００２１】
前記差込部と前記載置部との接合部分に、該差込部上部の軸体に少なくとも一箇所以上形成された突状部と、前記載置部に形成された、前記突状部と係合する開口部と、からなる連結体を備えたゴルフティーである。
【００２２】
前記ゴルフティーの差込部に抜止部が形成されているゴルフティーである。
【考案の効果】
【００２３】
本考案の高さ調節具によれば、ゴルフティーの胴体部に可動自在に装着されるため、高さ調節具を任意の位置に自在に可動させることができ、ゴルフボールを理想的な一定の高さでショットすることができる。また、調節具の地面に接する面が大径状に形成されていることにより、ティーを迅速、且つ正確な高さで地面に差し込むことができる。
【００２４】
また、前記高さ調節具を回動させたり、または上下方向に加圧させたりすることで、上下方向に可動させることができるため、微妙な高さ調節を容易に行うことが可能となる。
【００２５】
また、本考案のゴルフティーによれば、地面に差し込む差込部を硬質部材とし、ゴルフボールを載せる載置部を柔軟性部材とすることで、ゴルフのティーショットの際、ティーが折れたり、地面から抜き出て飛ばされたりすることがない。
【００２６】
さらに、ゴルフティーに本考案に係る連結部を備えることにより、載置部の柔軟性がより一層向上し、ショットの際にクラブとティーの抵抗が少なくなり、スイング時のクラブの抜けを向上させ、ボールの飛距離を伸ばすことができる。
【００２７】
さらにまた、前記差込部に抜止部を形成することにより、打球の際、載置部に強い衝撃を受けた場合、ゴルフクラブが直接ティーの下部に当たった場合、更にはクラブヘッドがボールに当たる前に地面に当たる、所謂ダフリをした場合でも、ティーが地面から抜け出る可能性を低減することができる。
【図面の簡単な説明】
【００２８】
【図１】高さ調節具を装着したゴルフティーの全体斜視図である。
【図２】ゴルフティーに装着した高さ調節具の断面図である。
【図３】図２に示す高さ調節具の断面図である。
【図４】他の好適例を示すゴルフティーに装着した高さ調節具の断面図である。
【図５】図４に示す高さ調節具の断面図である。
【図６】ゴルフティーにボールを載せた使用状態図である。
【図７】ゴルフティーの連結部分の断面図である。
【図８】ボールをショットした際の使用状態図である。
【考案を実施するための形態】
【００２９】
以下、本考案のゴルフティーにおける実施の形態を図面に基づいて説明する。
【００３０】
先ず、図１乃至図３において、本考案の一実施形態に係るゴルフティー１０について説明する。ゴルフティー１０は、地面に差し込む差込部１１と、ゴルフボールＢを載せる載置部１２とからなり、差込部１１が硬質部材、載置部１２が柔軟性部材で夫々構成されている。これにより、ティーショットの際、ティーが折れたり、紛失したりすることを低減することができる。
【００３１】
ゴルフティー１０を構成する差込部１１は、ゴルフティー１０を地面に差し込みやすいように先端が先細のテーパ状に形成されている。また、載置部１２は、上部が広口の漏斗状を呈しており、上部中央部分は、ゴルフボールＢを載置する凹部１３が形成されている。さらに、図示例では凹部１３の上部周縁には、ゴルフボールＢを良好に保持するために保持体１４が複数設置されているが、保持体１４は必ずしも必要ではなく、ゴルフボールＢを置くことができれば凹部１３のみであってもよい。
【００３２】
前記差込部１１を構成する硬質部材は、好適には硬質樹脂で形成されている。硬質樹脂の素材としては、エチレン、プロピレン、塩化ビニル、スチレン、アミド等の重合体の熱可塑性樹脂や、メラミン樹脂、フェノール樹脂、アクリル樹脂、ＰＥＴ等の熱硬化性樹脂等などが挙げられる。
【００３３】
また、載置部１２を構成する柔軟性部材は、差込部１１より柔軟性を有する軟質樹脂で形成されている。軟質樹脂の素材としては、差込部１１の硬質樹脂より可塑剤の量を多くするなどして柔らかく形成されたポリオレフィン系樹脂、エステル系樹脂、ポリウレタン系樹脂、ポリアミド系樹脂等が挙げられる。
【００３４】
さらに、載置部１２を差込部１１より柔軟性を有する軟質ゴムで形成してもよい。軟質ゴムとしては、フッ素ゴム、シリコーンゴム、ウレタンゴム、ブチルゴム等の合成ゴムや天然ゴムを挙げることができる。
【００３５】
なお、載置部１２を形成する柔軟性部材は、差込部１１より柔軟性を有する素材であり、打球時に撓った状態で折れ曲がるものであれば、上記の素材に限定されるものではない。
【００３６】
差込部１１を硬質部材とし、載置部１２を柔軟性部材としたことで、ゴルフボールＢを載置部１２に載せた状態からゴルフクラブで打球すると、図８に示すように、柔軟性部材からなる載置部１２が撓った状態で折れ曲がった後、元の状態に復元されるため、ティーショットの際、ティーが折れる虞がない。
【００３７】
また、差込部１１が硬質部材にて形成されているため、地中への差し込みが容易であるとともに、打球の際、載置部１２に強い打撃を受けても、その力は載置部１２で吸収され、差込部１１が地中から抜け出て飛ばされることもない。
【００３８】
また特に、ゴルフティー１０には、ゴルフティー１０の差し込み高さを調節する高さ調節具１が具備されている。この好適例の高さ調節具１は、柔軟性を有する筒状のゴム部材からなり、地面に接する下部２が大径状に形成されている。これにより、高さ調節具１を有するゴルフティー１０の差込部１１を地中に差し込む際、下部２が地表に係止されて容易に、且つ正確に一定の高さでゴルフティー１０を地中に差し込むことができる。
【００３９】
また、高さ調節具１は、ゴルフティー１０の胴体部１５に可動自在に装着されている。図２及び図３に示すように、高さ調節具１の内周には、好適には螺旋状凸部３が形成されている。また、ゴルフティー１０の胴体部１５の周囲には、螺旋状凸部３に螺合する螺旋状凹部１６が形成されている。
【００４０】
上述の構成により、図２に示すように、高さ調節具１を回動させることで、螺旋状凸部３と螺旋状凹部１６との螺合作用により、高さ調節具１を任意の高さに移動させることができる。なお、螺旋状凸部をゴルフティー１０の胴体部１５に、螺旋状凹部を高さ調節具１の内周に形成してもよい。
【００４１】
また他の好適例として、図４及び図５に示すように、高さ調節具１は、上下方向に加圧させることで可動させることができる。
【００４２】
この場合、高さ調節具１の内周には、ゴルフティー１０の胴体部１５の周囲に形成された複数の凹溝１６に嵌入する凸部４が形成されている。凸部４は、図中、大径状の下部３に形成されているが、高さ調節具１の内周上部や中間部等に複数形成してもよい。
【００４３】
高さ調節具１の内周に凸部４を形成し、ゴルフティー１０の胴体部１５の周囲に複数の凹溝１７を設け、高さ調節具１をゴルフティー１０の胴体部１５に嵌入させることで、高さ調節具１を任意の位置に保持させることができる。なお、高さ調節具１の内周に凹溝を、ゴルフティー１０の胴体部１５に凸部を形成してもよい。
【００４４】
また、本考案のゴルフティー１０は、図７に示すように、差込部１１と載置部１２との接合部分に、連結部２０を備えたことを特徴とするものである。この連結部２０は、差込部１１の上部の軸体２１に少なくとも一箇所以上形成された突状部２２と、載置部１２に形成された、突状部２２と係合する開孔部１８とからなる。
【００４５】
軸体２１は、差込部１１よりやや小径に形成されており、差込部１１の上端より一体的に立設されている。また、突状部２２は、軸体２１の上部周方向で放射状に複数形成されている。なお、突状部２２は、載置部１２との連結強度や柔軟性を考慮した場合、軸体２１の周囲に２〜８箇所形成することが好ましい。
【００４６】
開孔部１８は、突状部２２と係合し、突状部２２と同じ位置に同じ数量で形成されている。また、突状部２２と開孔部１８とが係合した際、載置部１２の表面に突状部２２が突出しない状態で係合されることが好ましい。またこの際、軸体２１の周囲には被覆部１９が配設され、この被覆部１９により、載置部１２の下方における載置部１２と差込部１１との連結が強化される。
【００４７】
また、突状部２２の上部には、開口部２４を有する連結体２３が形成されている。また連結体２３と突起部２２とは、差込部１１、軸体２２と一体的に硬質部材で形成することが好ましい。
【００４８】
ゴルフティー１０の成形の一例としては、先ず、硬度が高い硬質部材にて差込部１１を形成する。次に、差込部１１の上部に、柔軟性を有する柔軟性部材からなる載置部１２を形成する。この際、インサート成形により、差込部１１の上部に柔軟性部材を注入して載置部１２を好適に形成することができる。また上述したように、差込部１１と載置部１２とを樹脂材の原料の他、充填剤や可塑剤の添加量を変えることにより一体的に形成してもよい。
【００４９】
差込部１１の上部に柔軟性部材を注入して載置部１２を形成すると、図７に示すように、軸体２１と連結体２３の周囲に柔軟性部材が被覆される。この際、連結体２３の開口部２４に柔軟性部材が収容され、さらに突起部２２の凹部周囲に柔軟性部材が配設されるため、差込部１１と載置部１２との連結状態が強化される。
【００５０】
上述の構成により、図７に示すように、開孔部１８と突状部２２が係合した係合箇所ａには柔軟性部材が介在されないため、ティーショットの際、載置部１２にクラブからの衝撃を受けると、開孔部１８部分での柔軟性部材の抵抗がなくなるとともに、突状部２２と開孔部１８との接合部ｂに僅かな隙間が生じ、図８に示すように、より柔軟に載置部１２を撓らせることができる。
【００５１】
なお、図７に示すように、差込部１１及び載置部１２は、連結部２０を介して上下が連結された状態で形成されているが、差込部１１と載置部１２とを樹脂材の他、充填剤や可塑剤等の添加量を変えることにより一体的に成形してもよい。
【００５２】
また、本考案の好適例のゴルフティー１０には、差込部１１に抜止部３０が形成されている。抜止部３０は凸状に形成されており、高さ調節部１の下方であって、差込部１１の中央から下部にかけて設けられている。差込部１１に抜止部３０を備えることにより、打球の際、載置部に強い衝撃を受けた場合、ゴルフクラブが直接ティーの下部に当たった場合、あるいはクラブヘッドがボールに当たる前に地面に当たる、所謂ダフリをした場合でも、凸状の抜止部３０によりティーが地面から抜け出るのを防止することができる。
【００５３】
抜止部３０の一例として、凸状の線状抜止部、凸状の円形を呈した円形抜止部、径の異なる円形小径抜止部、および円形小径抜止部と円形大径抜止部とを組み合わせて形成してもよい。また、線状抜止部と円形抜止部を組み合わせて形成してもよい。
【００５４】
次に、本考案のゴルフティーの使用方法を図６及び図８に基づいて説明する。
【００５５】
図６においては、ゴルフティー１の差込部１１を地面に差し込んだ状態を示す。この際、予め、高さ調節部１を回動もしくは上下可動させ、差込部１１を所定の高さで地中に差し込むことができるようにしておく。所定の高さでティーを立設させた後、載置部１２にゴルフボールＢを載せ、通常のティーショットのように、ゴルフクラブにてゴルフボールＢを打球する。
【００５６】
図８においては、ゴルフクラブにてボールＢを打球した直後の状態を示す。ゴルフクラブで打球すると、ゴルフボールＢは前方に打ち出され、同時にゴルフティー１０の載置部１２も前方に打撃される。すると、柔軟性部材にて形成された載置部１２は、撓った状態で折れ曲がった後、元の状態に復元される。このため、ゴルフクラブによる強い衝撃を受けても、載置部１２がその力を吸収することができる。
【００５７】
よって、硬質部材にて形成されている差込部１１が地中から抜け出て飛ばされたり折れたりすることがない。さらに、差込部１１と載置部１２との接合部分に、差込部１１上部の軸体２１に少なくとも一箇所以上形成された突状部２２と、載置部１２に形成された、前記突状部２２と係合する開孔部１８と、からなる連結部２０を設けたことで、載置部１２の柔軟性がより一層向上し、ショットの際にクラブとティーの抵抗が少なくなり、クラブスイング時の抜けを向上させることができ、ボールの飛距離を伸ばすことができる。
【００５８】
また、ゴルフティー１には、差込部１１に凸状の抜止部３０が形成されているため、打球の際、載置部に強い衝撃を受けた場合、ゴルフクラブが直接ティーの下部に当たった場合、またクラブヘッドがボールに当たる前に地面に当たる、所謂ダフリをした場合でも、抜止部３０が地中に係止され、ティーが地面から抜け出る可能性がさらに低減される。
【００５９】
さらに、ゴルフティー１０に、地面に接する下部２が大径状に形成されている高さ調節具１が可動自在に具備されているため、ゴルフティー１０の差込部１１を地中に差し込む際、下部２が地表に係止されて容易に、且つ正確に一定の高さにゴルフティー１０を地中に差し込むことができる。
【符号の説明】
【００６０】
１  高さ調節具
２  下部
３  螺旋状凸部
４  凸部
１０  ゴルフティー
１１  差込部
１２  載置部
１３  凹部
１４  保持体
１５  胴体部
１６  螺旋状凹部
１７  凹溝
１８  開孔部
１９  被覆部
２０  連結部
２１  軸体  
２２  突状部
２３  連結体
２４  開口部
３０  抜止部
Ｂ  ゴルフボール
ａ  係合箇所
ｂ  接合部
【図１】
0003167680.tif 000003
【図２】
0003167680.tif 000004
【図３】
0003167680.tif 000005
【図４】
0003167680.tif 000006
【図５】
0003167680.tif 000007
【図６】
0003167680.tif 000008
【図７】
0003167680.tif 000009
【図８】
0003167680.tif 000010